(57)【要約】【課題】ケーブルを容易に取り付けることが可能な遊技機を提供する。【解決手段】ケーブルカバー部材２５０がランプケーブル２４１の中間部を覆って中間梁部１６２の後面側に取り付けられた状態で、ケーブルカバー部材２５０から露出したランプケーブル２４１の両端を演出用中継基板１８０と右サイドランプ基板２２１ｂとに繋いで電気的に接続させることができるようになっている。これにより、ケーブルカバー部材２５０を中間梁部１６２の後面側に取り付けるだけで、ケーブルカバー部材２５０に覆われるランプケーブル２４１の中間部を中間梁部１６２の後面側に配線して固定することができるため、中間梁部１６２のような細長くて狭い配線スペースであっても、ランプケーブル２４１を容易に取り付けることが可能になる。【選択図】図８
2019005028.tif 000002
【特許請求の範囲】
【請求項１】
ベース部材と、
前記ベース部材に取り付けられた電気部品と、
前記ベース部材に配設されて前記電気部品と電気的に接続されるケーブルと、
前記ケーブルの一部を覆うカバー部材とを備え、
前記カバー部材は、前記カバー部材に覆われた前記ケーブルの一部を保持する保持部を有し、
前記ベース部材は、前記カバー部材が取り付けられるカバー取付部を有し、
前記カバー部材が前記ケーブルの一部を覆って前記カバー取付部に取り付けられた状態で、前記カバー部材から露出した前記ケーブルの端部を前記電気部品と繋いで電気的に接続させることが可能であることを特徴とする遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の本体筐体と、本体筐体の前面開口部を開閉可能な前扉とを備えて構成されている。また、前扉には、電飾装置やスピーカー等の演出装置と、所定の演出画像を表示可能な画像表示装置と、演出装置および画像表示装置等の制御を行う副制御装置とが取り付けられている。前扉に取り付けられた各装置（例えば、副制御装置、演出装置および画像表示装置）は、前扉の後面側に配線されたケーブルハーネス（ワイヤーハーネスとも称される）を介して電気的に接続される。ケーブルハーネスを構成する各ケーブルは、ケーブルクランプ等を用いて前扉の後面側に固定保持される（例えば、特許文献１を参照）。
【先行技術文献】
【特許文献】
【０００３】
【特許文献１】特開２００４−２４３９０号公報
【発明の概要】
【発明が解決しようとする課題】
【０００４】
遊技機を組み立てる際、例えば、前扉の後面側に配線されるケーブルは、近年の画像表示装置および演出装置等の大型化によって前扉の後面側に設けられた狭い配線スペースに取り付ける必要があり、ケーブルの取り付けに手間が掛かっていた。
【０００５】
本発明は、このような課題に鑑みてなされたものであり、ケーブルを容易に取り付けることが可能な遊技機を提供することを目的とする。
【課題を解決するための手段】
【０００６】
このような目的達成のため、本発明に係る遊技機（例えば、実施形態におけるスロットマシン１）は、ベース部材（例えば、実施形態における前扉２）と、前記ベース部材に取り付けられた電気部品（例えば、実施形態における演出用中継基板１８０および右サイドランプ基板２２１ｂ）と、前記ベース部材に配設されて前記電気部品と電気的に接続されるケーブルと、前記ケーブルの一部を覆うカバー部材とを備え、前記カバー部材は、前記カバー部材に覆われた前記ケーブルの一部を保持する保持部（例えば、実施形態における第１〜第５クランプ部２５５ａ〜２５５ｅ）を有し、前記ベース部材は、前記カバー部材が取り付けられるカバー取付部（例えば、実施形態における中間梁部１６２）を有し、前記カバー部材が前記ケーブルの一部を覆って前記カバー取付部に取り付けられた状態で、前記カバー部材から露出した前記ケーブルの端部を前記電気部品と繋いで電気的に接続させることが可能である。
【発明の効果】
【０００７】
本発明によれば、ケーブルを容易に取り付けることができる。
【図面の簡単な説明】
【０００８】
【図１】スロットマシンの正面図である。
【図２】スロットマシンの前扉を後方から見た図である。
【図３】スロットマシンの内部構造を示す正面図である。
【図４】前扉の第１フレームから第２フレームを取り外した状態を示す斜視図である。
【図５】第１フレームの斜視図である。
【図６】第１フレームの背面図である。
【図７】第２フレームの背面図である。
【図８】第２フレームの上部を示す背面拡大図である。
【図９】第２フレームからケーブルカバー部材を取り外した状態を示す背面拡大図である。
【図１０】第２フレームから各部品を取り外した状態を示す背面図である。
【図１１】第２フレームに左サイドランプ基板を取り付けた状態を示す正面拡大図である。
【図１２】ケーブルカバー部材の後面側を上方から見た斜視図である。
【図１３】ケーブルカバー部材の後面側を下方から見た斜視図である。
【図１４】ケーブルカバー部材の前面側を上方から見た斜視図である。
【図１５】ケーブルカバー部材の前面側を下方から見た斜視図である。
【図１６】ケーブルカバー部材がランプケーブルを覆う状態を示す図である。
【発明を実施するための形態】
【０００９】
以下、本発明の実施形態について図面を参照して説明する。まず、本発明に係る遊技機の一例であるスロットマシンの基本的な構成について、図１〜図３を参照して説明する。なお、以下の説明では、図４において各矢印で示す方向をそれぞれ、上下方向、前後方向、左右方向として説明する。
【００１０】
＜スロットマシンの外部構成＞
本実施形態に係るスロットマシン１は、図１〜図３に示すように、前面（前方）が開口した箱状の筐体５と、筐体５の前面開口部に開閉可能に取り付けられた前扉２とを備えている。前扉２は、正面視において、筐体５の左側板５ａの前部に配設されたヒンジ機構６ａ〜６ｃを用いて筐体５の前面開口部に対し横開き開閉可能に取り付けられている。
【００１１】
前扉２の上部には、その裏面側に配設された画像表示装置１１の表示画面１１ａが前方を臨むように配置されている。前扉２の上部前面側における表示画面１１ａの上側周辺部には、第１演出ランプ１２と、左右の第２演出ランプ１３ａ，１３ｂが設けられている。前扉２の上部前面側における表示画面１１ａの下側周辺部には、左右の上部スピーカー１５ａ，１５ｂと、所定の装飾が施された装飾部材１６が設けられている。
【００１２】
前扉２の中間部には、筐体５内に横並びに配設された３個のリール３ａ，３ｂ，３ｃの表面が臨むリール窓Ｗが設けられている。前扉２の中間部におけるリール窓Ｗの側方には、左右のサイドランプ２２０ａ，２２０ｂが設けられている。前扉２の中間部におけるリール窓Ｗの下方には、操作パネル２１が設けられている。
【００１３】
操作パネル２１の上面側には、遊技メダル（遊技媒体）を投入するためのメダル投入口２２と、クレジットされた範囲内で遊技メダルをベットするためのＢＥＴスイッチユニット２３と、演出に関する操作を行うための演出スイッチユニット２４が設けられている。操作パネル２１の前面側には、全リール３ａ〜３ｃを回転開始させる際に操作されるスタートレバー（スタートスイッチ）２５と、各リール３ａ，３ｂ，３ｃの回転を個別に停止させるための３個のストップスイッチ２０１ａ，２０１ｂ，２０１ｃ（図中左側のストップスイッチ２０１ａは左リール３ａに対応し、中央のストップスイッチ２０１ｂは中リール３ｂに対応し、右側のストップスイッチ２０１ｃは右リール３ｃに対応する）と、メダル投入口２２から投入されて滞留した遊技メダルを返却するためのリジェクトスイッチ２７が設けられている。また、前扉２の中間部における操作パネル２１の右方には、前扉２を開閉させるためのシリンダー錠２８が設けられている。
【００１４】
メダル投入口２２から延びるメダル通路は、投入された遊技メダルが有効に受け入れられる場合に当該遊技メダルが通過する受入通路（後述のホッパー５１に通ずる）と、投入された遊技メダルが受け入れられない場合に当該遊技メダルが通過する返却通路（後述の遊技メダル払出口４１に通ずる）とに分岐しており、その分岐部にはメダルセレクタ３５（図２を参照）が設けられている。メダルセレクタ３５は、投入された遊技メダルが有効に受け入れられる期間においては、メダル投入口２２に投入された遊技メダルを受入通路に導き、それ以外の期間においては、メダル投入口２２に投入された遊技メダルを返却通路に導くように、受入通路と返却通路を選択的に、一方を開状態に他方を閉状態にできるように構成されている。
【００１５】
メダルセレクタ３５は、図２に示すように、前扉２の後面側に配置される。前扉２の後面側におけるメダルセレクタ３５の下部左側には、受入通路を構成するメダルガイド部材３６が設けられている。前扉２の後面側におけるメダルセレクタ３５の下側には、返却通路を構成する返却通路部材３７が設けられている。なお、前扉２の後面側には、メダルセレクタ３５の他、後述の副制御装置８０と、中継基板ケースユニット３８および配線カバー３９が設けられている。
【００１６】
リール窓Ｗは、図１に示すように、３個のリール３ａ〜３ｃが全て停止した際に、リール毎に３個の図柄、合計９個の図柄が遊技者から視認可能に表示されるように構成されている。リール３ａ〜３ｃの各中段の図柄表示領域を水平（横一直線）に結ぶ入賞ライン２９は、規定数の遊技メダルがベットされることにより有効化される入賞ラインであり、有効化された入賞ライン２９上に停止表示された図柄組合せにより遊技役の成立の有無が判定されるように構成されている。以下、有効化された入賞ライン２９のことを、適宜「有効ライン２９」と称する。
【００１７】
また、スロットマシン１には、ＬＥＤランプ等により構成される各種の表示用ランプが設けられている。本実施形態では、表示用ランプとして、ＭＡＸ‐ＢＥＴスイッチ表示ランプ（図示せず）、ＢＥＴ数表示ランプ４６ｂ、投入可能表示（ＩＮＳＥＲＴ）ランプ４６ｃ、遊技開始表示（ＳＴＡＲＴ）ランプ４６ｄ、再遊技表示（ＲＥＰＬＡＹ）ランプ４６ｅ、状態表示（ＧＡＭＥ  ＯＶＥＲ）ランプ４６ｆ、貯留枚数表示（ＣＲＥＤＩＴ）ランプ４６ｈ、および払出数表示（ＰＡＹＯＵＴ）ランプ４６ｊを備えている。これらの表示用ランプは、後述の主制御装置７０により制御されるように構成されている。
【００１８】
ＭＡＸ‐ＢＥＴスイッチ表示ランプ（図示せず）は、遊技メダルをベットすることができる状況下で点灯されるものであり、ＢＥＴスイッチユニット２３に設けられたＭＡＸ‐ＢＥＴスイッチ（図示せず）の内部に配置され、点灯時にはＭＡＸ‐ＢＥＴスイッチを部分的または全体的に光らせるようになっている。その他の表示用ランプは、リール窓Ｗの側部または下部に配置されている。
【００１９】
ＢＥＴ数表示ランプ４６ｂは、ベットされた遊技メダルの枚数を表示するもので、ベットされた遊技メダルが、１枚の場合に点灯される１‐ＢＥＴ表示ランプ４６ｂＣと、２枚の場合に点灯される２‐ＢＥＴ表示ランプ４６ｂＢと、３枚の場合に点灯される３‐ＢＥＴ表示ランプ４６ｂＡとから構成されている。投入可能表示ランプ４６ｃは、遊技メダルを投入することができる状況下で点灯されるものであり、遊技開始表示ランプ４６ｄは、スタートレバー２５を操作して遊技を開始させることができる状況下で点灯されるものである。再遊技表示ランプ４６ｅは、任意の遊技において再遊技役（遊技メダルの払出しはないが、遊技者が保有する遊技メダルの数を減らすことなく（新たに遊技媒体を投入することなく）次の遊技を行うことが許可される遊技役）が成立し、自動ベット処理（遊技者が保有する遊技メダルの数を減らすことなく、前回の遊技におけるベット数と同数の遊技メダルがベットされた状態を設定する処理）により遊技メダルが自動的にベットされた際に点灯されるものである。
【００２０】
状態表示ランプ４６ｆは、ベットされている遊技メダル、および／または貯留されている遊技メダルを精算するときに点灯される。貯留枚数表示ランプ４６ｈは、貯留（クレジット）された遊技メダルの枚数を７セグメント表示するものであり、払出数表示ランプ４６ｊは、小役（成立時に所定枚数の遊技メダルが払い出されるように構成された遊技役）が成立した際に払い出される遊技メダルの枚数を７セグメント表示するものである。
【００２１】
また、払出数表示ランプ４６ｊは、スロットマシン１に何らかの異常（エラー）が発生した際に、そのエラーの種類を示す文字（アルファベット）や数字を表示するようにも構成されている。さらに、払出数表示ランプ４６ｊは、各ストップスイッチ２０１ａ〜２０１ｃの操作順（押し順）を示すナビ番号（記号や数字）を表示する機能も有している。
【００２２】
前扉２の下部前面側には、透明な下パネルカバー３１が取り付けられている。下パネルカバー３１の裏面側には、所定の図柄が設けられた半透明の下パネルベースおよび下パネル照明灯（いずれも図示せず）が取り付けられており、この下パネル照明灯を点灯させることにより、下パネルベースの図柄を後面側から照明するように構成されている。前扉２の下部前面側における下パネルカバー３１の左右には、左右の下部スピーカー３２ａ，３２ｂが設けられている。
【００２３】
前扉２の下端部には、受け皿アッセンブリ４０が設けられている。受け皿アッセンブリ４０には、遊技メダルを払い出すための遊技メダル払出口４１が開設されているとともに、遊技メダル払出口４１に臨むようにして遊技メダルを貯留するための遊技メダル貯留皿４２が設けられている。なお、遊技メダル貯留皿４２には、灰皿（図示せず）が設けられるようにしてもよい。
【００２４】
＜スロットマシンの内部構成＞
図３に示すように、筐体５内の下部（底板５ｄ上）には、遊技の結果、所定の入賞態様が構成された場合に獲得される遊技メダルを払い出すメダル払出装置５０が設けられている。メダル払出装置５０は、遊技メダルを検出するためのメダル検出部（図示せず）と、投入されて有効に受け入れられた遊技メダルを物理的に収容する（貯留する）ホッパー５１とを有している。メダル払出装置５０の近傍位置には、ホッパー５１から溢れた遊技メダルを収納するための補助収納庫５３が設けられるとともに、この補助収納庫５３が満杯状態（補助収納庫５３から遊技メダルが溢れる可能性のある状態）であるか否かを検出する満杯検出部（図示せず）が設けられている。また、メダル払出装置５０の左方位置には、スロットマシン１に搭載された種々の装置に電力を供給する電源装置５５が設けられている。
【００２５】
筐体５内の中央部には、左右の側板５ａ，５ｂに架け渡されるように中板５ｆが設けられており、この中板５ｆ上にリールユニット６０が設けられている。リールユニット６０は、上述の３個のリール３ａ，３ｂ，３ｃと、これらのリール３ａ〜３ｃをそれぞれ回転させる３個のステッピングモータ（図示せず）とを有して構成されている。リール３ａ〜３ｃはそれぞれ、透光性を有する部材により構成されており、その外周面には、複数種類の図柄が表示された、透光性を有するリールテープが貼り付けられている。また、リール３ａ〜３ｃの内面側にはそれぞれバックランプ（図示せず）が配設されており、これらのバックランプを点灯させることにより、リール窓Ｗ内に臨む各リール３ａ，３ｂ，３ｃの領域を内面側から全体的に照明したり、停止表示された所定の図柄組合せ（例えば、有効ライン２９上や、有効ライン２９上とは異なる入賞ライン上に並んだ遊技役の対応図柄等）を目立たせるように各リール３ａ，３ｂ，３ｃの一部領域のみを照明したりするように構成されている。
【００２６】
筐体５内の上部（背板５ｅの上部内面）には、遊技の進行に係る主たる制御（リール３ａ〜３ｃの駆動制御や役決定処理等を含む）を行う主制御装置７０が設けられている。なお、遊技状況に応じて遊技の興趣向上等を目的とする種々の演出制御（画像表示装置１１による演出画像表示制御や、上部スピーカー１５ａ，１５ｂ等のスピーカーによる音声発生制御等）を行う副制御装置８０は前扉２の後面側に設けられている。主制御装置７０と副制御装置８０はケーブルハーネスを用いて電気通信可能に接続されており、これら装置間の情報伝達は、主制御装置７０から副制御装置８０への一方向のみ行うことが可能となっている。
【００２７】
＜遊技を行うための基本操作＞
スロットマシン１で遊技を行うには、まず実際にメダル投入口２２に遊技メダルを投入することによりベットするか、ＢＥＴスイッチユニット２３に設けられた１‐ＢＥＴスイッチまたはＭＡＸ‐ＢＥＴスイッチ（図示せず）の何れかを操作してクレジットの範囲内で規定数の遊技メダルをベットすることにより、複数の入賞ラインのうち入賞ライン２９を有効化する。本実施形態では、３枚の遊技メダルがベットされると入賞ライン２９が有効化される構成であるが、規定数を適宜変更したり、遊技メダルのベット数に応じて有効化される入賞ラインを変更するようにしてもよい。
【００２８】
次に、遊技者がスタートレバー２５を操作すると、ベット数が確定する（ベットされた遊技メダルが遊技の用に供される）とともに、役決定処理が行われ、その後、最小遊技時間（１つの遊技において全リールが回転開始してから、次の遊技において全リールを回転開始させるまでに最低限確保しなければならないとされる時間（例えば、４.１秒間）のこと）が経過したことを確認した後、各リール３ａ〜３ｃが回転を開始し、リール３ａ〜３ｃの外周表面に表示された複数種類の図柄がリール窓Ｗ内を上下に（通常、上から下に）移動表示される。そして、リール３ａ〜３ｃの回転が所定の速度に達して定速回転となり、かつ、全てのリールのインデックスを検知すると各ストップスイッチ２０１ａ〜２０１ｃが有効化され（ストップスイッチの操作が有効に受付け可能とされ）、遊技者が左側のストップスイッチ２０１ａを操作すると左リール３ａの回転が停止し、中央のストップスイッチ２０１ｂを操作すると中リール３ｂの回転が停止し、右側のストップスイッチ２０１ｃを操作すると右リール３ｃの回転が停止するように構成されている。
【００２９】
ここで、有効ライン２９上に停止表示された図柄組合せが予め定めた入賞態様（遊技メダルを獲得することができる遊技役の対応図柄）となっている場合には、各入賞態様に対応した枚数の遊技メダルがメダル払出装置５０により払い出されるか、またはクレジットとして加算される。
【００３０】
＜前扉の構成＞
次に、本実施形態に係る前扉２の構成について図４〜図１１を参照して説明する。前扉２は、図４に示すように、第１フレーム１０１と、第１フレーム１０１の前側を覆う第２フレーム１５１とから構成される。第１フレーム１０１は、図５および図６に示すように、樹脂材料と金属板材を用いて、筐体５の前面開口部の形状に合わせた枠状に形成される。第１フレーム１０１は、前述のヒンジ機構６ａ〜６ｃを用いて、筐体５の前面開口部に対し横開き開閉可能に取り付けられる。第１フレーム１０１は、操作パネル２１よりも上側に形成される第１上側フレーム部１１１と、操作パネル２１から下側に形成される第１下側フレーム部１１６とを有している。
【００３１】
第１上側フレーム部１１１（第１フレーム１０１）の上部には、不図示の表示装置固定部材により、表示画面１１ａが前方を向くように画像表示装置１１が取り付け固定される。図４に示すように、第１フレーム１０１から第２フレーム１５１が取り外された状態でも、第１上側フレーム部１１１の開口部分を通じて、画像表示装置１１の表示画面１１ａを前方から視認できるようになっている。なお、画像表示装置１１の後側に、上述の表示装置固定部材を介して副制御装置８０が取り付けられる。
【００３２】
図５に示すように、第１上側フレーム部１１１（第１フレーム１０１）の上部における左右側部に、上側係止爪部１１２が形成される。上側係止爪部１１２は、第１フレーム１０１の前側に第２フレーム１５１が装着されると、第２フレーム１５１の左右の内側上部に形成された上側係止溝部（図示せず）に係止し、第１フレーム１０１に対して第２フレーム１５１が着脱可能に固定される。なお、図示省略するが、第１フレーム１０１の縁部の複数箇所に、第１フレーム１０１の前側に第２フレーム１５１を取り付け固定するためのフレーム固定ネジ（図示せず）が挿通されるネジ挿通穴が形成されている。
【００３３】
第１フレーム１０１の中間部に位置する第１上側フレーム部１１１の下側に、前述のリール窓Ｗを備えた中パネル部材１４０（図４を参照）が後方から取り付けられる。中パネル部材１４０は、第１上側フレーム部１１１の開口部分の下側を後方から塞ぐ板状に形成される。中パネル部材１４０には、リール窓Ｗと、ＢＥＴ数表示ランプ４６ｂ、投入可能表示ランプ４６ｃ、遊技開始表示ランプ４６ｄ、再遊技表示ランプ４６ｅ、状態表示ランプ４６ｆ、貯留枚数表示ランプ４６ｈ、および払出数表示ランプ４６ｊ等が設けられる（図4においては詳細な図示を省略する）。
【００３４】
図５に示すように、第１下側フレーム部１１６の上側に、操作パネル２１が前方から取り付けられる。操作パネル２１は、第１下側フレーム部１１６の上側を前方から覆うステージ状に形成される。操作パネル２１の上面側には、メダル投入口２２と、ＢＥＴスイッチユニット２３と、演出スイッチユニット２４が取り付けられる。操作パネル２１の前面側には、スタートレバー２５と、ストップスイッチユニット２００と、リジェクトスイッチ２７が取り付けられる。操作パネル２１の後面側には、メダルセレクタ３５と、メダルガイド部材３６と、配線カバー３９が取り付けられる（図６を参照）。
【００３５】
なお、詳細な図示を省略するが、操作パネル２１の上端部は、中パネル部材１４０の下端部の前面側に重なるように配置される。ストップスイッチユニット２００は、前述した３個のストップスイッチ２０１ａ，２０１ｂ，２０１ｃと、３個のストップスイッチ２０１ａ，２０１ｂ，２０１ｃを保持するスイッチ保持部（図示せず）とを有して構成される。
【００３６】
第１下側フレーム部１１６の下側に、板状の下パネル部材１４５が取り付けられる。下パネル部材１４５の前面側に、左右の下部スピーカー３２ａ，３２ｂが取り付けられる。下パネル部材１４５の後面側に、返却通路部材３７および中継基板ケースユニット３８が取り付けられる（図６を参照）。第１下側フレーム部１１６（第１フレーム１０１）の下端部に、受け皿アッセンブリ４０が設けられる。
【００３７】
第１下側フレーム部１１６（第１フレーム１０１）の下部における左右側部に、下側係止爪部１１７が形成される。下側係止爪部１１７は、第１フレーム１０１の前側に第２フレーム１５１が装着されると、第２フレーム１５１の左右の内側下部に形成された下側係止溝部（図示せず）に係止し、第１フレーム１０１に対して第２フレーム１５１が着脱可能に固定される。
【００３８】
第２フレーム１５１は、図４、図７、および図１０に示すように、樹脂材料を用いて、前面側に装飾が施された扉状に形成される。第２フレーム１５１は、第１フレーム１０１の前側に着脱可能に取り付けられて、第１フレーム１０１の前側を覆うように構成される。なお、図示省略するが、第２フレーム１５１の後側縁部の複数箇所に、第１フレーム１０１のネジ挿通穴（図示せず）と位置整合したネジ固定穴が形成されている。これにより、第２フレーム１５１を第１フレーム１０１の前側に装着した状態で、フレーム固定ネジ（図示せず）を第１フレーム１０１のネジ挿通穴に挿通させて第２フレーム１５１のネジ固定穴にネジ固定することで、第２フレーム１５１が第１フレーム１０１の前側に取り付け固定される。第２フレーム１５１は、第１フレーム１０１における操作パネル２１よりも上側の部分（第１上側フレーム部１１１）を覆う第２上側フレーム部１６１と、操作パネル２１から下側の部分（第１下側フレーム部１１６）を覆う第２下側フレーム部１７１とを有している。
【００３９】
図７に示すように、第２上側フレーム部１６１の上下の中間部に、左右方向に延びる中間梁部１６２が形成される。第２上側フレーム部１６１の前面側における中間梁部１６２よりも上側に、第２上側フレーム部１６１の上部を前方から覆う上部フレームカバー１６３が取り付けられる。上部フレームカバー１６３の中央部に、第１フレーム１０１（第１上側フレーム部１１１）の上部に配設された画像表示装置１１の表示画面１１ａを前方から視認可能にする上側視認部１６４が開口形成される。上側視認部１６４に、画面保護カバー１６５が取り付けられる。画面保護カバー１６５は、透明の樹脂材料を用いて板状に形成され、上側視認部１６４の開口部分を塞いで表示画面１１ａの前方を覆うようになっている。上部フレームカバー１６３の後面側における上側視認部１６４の周辺部に、左右の上部スピーカー１５ａ，１５ｂと、演出用中継基板１８０が取り付けられる。
【００４０】
演出用中継基板１８０は、図８に示すように、基板取付部材１８５を用いて上部フレームカバー１６３の左後面側（左上部スピーカー１５ａの後方）に取り付け保持される。演出用中継基板１８０は、実装面に配設された複数の電気コネクタを介して、第２フレーム１５１に配設された電気部品（第１演出ランプ１２、左右の第２演出ランプ１３ａ，１３ｂ、左右の上部スピーカー１５ａ，１５ｂ、および左右のサイドランプ２２０ａ，２２０ｂ等）と電気的に接続される。演出用中継基板１８０の電気コネクタとして例えば、右サイドランプ用中継コネクタ１８１は、右サイドランプ２２０ｂ（右サイドランプ基板２２１ｂ）と繋がる右サイドランプ用ケーブルハーネス２４０と電気的に接続される。
【００４１】
また、演出用中継基板１８０の実装面には、制御基板用中継コネクタ１８３が配設される。制御基板用中継コネクタ１８３は、副制御装置８０と繋がるケーブルハーネス（図示せず）と電気的に接続される。副制御装置８０から演出用中継基板１８０に向けて延びるケーブル（図示せず）は、第１フレーム１０１（第１上側フレーム部１１１）の上部に取り付けられた画像表示装置１１と第１フレーム１０１との間隙部に挿通される。これにより、第２フレーム１５１に配設された電気部品を一括で、第１フレーム１０１（第１上側フレーム部１１１）の上部に配設された副制御装置８０と電気的に接続させることが可能になり、第２フレーム１５１を第１フレーム１０１の前側に取り付ける際の手間を低減させることができる。
【００４２】
図４に示すように、上部フレームカバー１６３の前面側における上側視認部１６４の上側周辺部に、第１演出ランプ１２と、左右の第２演出ランプ１３ａ，１３ｂが取り付けられる。上部フレームカバー１６３の前面側における上側視認部１６４の下側周辺部に、左右の上部スピーカーカバー１６８ａ，１６８ｂと、装飾部材１６が取り付けられる。左右の上部スピーカーカバー１６８ａ，１６８ｂは、左右の上部スピーカー１５ａ，１５ｂの前方を覆うとともに、左右の上部スピーカー１５ａ，１５ｂから発生する音を前方に放音可能に構成される。
【００４３】
図４および図７に示すように、第２上側フレーム部１６１における中間梁部１６２よりも下側に、第１フレーム１０１に取り付けられた中パネル部材１４０のリール窓Ｗを前方に露出させる視認露出部１６６が開口形成される。なお、中パネル部材１４０に設けられたＢＥＴ数表示ランプ４６ｂ、投入可能表示ランプ４６ｃ、遊技開始表示ランプ４６ｄ、再遊技表示ランプ４６ｅ、状態表示ランプ４６ｆ、貯留枚数表示ランプ４６ｈ、および払出数表示ランプ４６ｊ等は、視認露出部１６６を介して前方から視認できるようになっている。
【００４４】
図４に示すように、第２上側フレーム部１６１の左右の下部前面側に、左右のサイドランプ２２０ａ，２２０ｂが取り付けられる。左サイドランプ２２０ａは、左サイドランプ基板２２１ａ（図１１を参照）と、左サイドランプカバー２２６ａ（図４を参照）とを有して構成される。左サイドランプ基板２２１ａは、図１１に示すように、第２上側フレーム部１６１の左下部に形成された左ランプホルダ部１６７ａの前面側に取り付けられる。左サイドランプ基板２２１ａの前面には、発光可能な複数のＬＥＤランプ２２２ａが上下方向に並んで配設される。図７〜図９に示すように、左サイドランプ基板２２１ａの後面には、左ランプ基板コネクタ２２３ａが配設される。左ランプ基板コネクタ２２３ａは、左サイドランプ基板２２１ａが左ランプホルダ部１６７ａに取り付けられた状態で、左ランプホルダ部１６７ａに形成されたコネクタ開口部（図示せず）を介して第２上側フレーム部１６１の後側に露出する。第２上側フレーム部１６１の後側に露出した左ランプ基板コネクタ２２３ａは、左サイドランプ用ケーブルハーネス（図示せず）を介して、演出用中継基板１８０の左サイドランプ用中継コネクタ（図示せず）と電気的に接続される。左サイドランプカバー２２６ａは、透光性を有する半透明の樹脂材料を用いて、上下方向に細長く延びるドーム状に形成され、左サイドランプ基板２２１ａの前面側を覆って左ランプホルダ部１６７ａに取り付けられる。
【００４５】
右サイドランプ２２０ｂは、左サイドランプ２２０ａと同様に、右サイドランプ基板２２１ｂ（図７を参照）と、右サイドランプカバー２２６ｂ（図４を参照）とを有して構成される。右サイドランプ基板２２１ｂは、第２上側フレーム部１６１の右下部に形成された右ランプホルダ部１６７ｂ（図７を参照）の前面側に取り付けられる。右サイドランプ基板２２１ｂの前面には、発光可能な複数のＬＥＤランプ（図示せず）が上下方向に並んで配設される。右サイドランプ基板２２１ｂの後面には、右ランプ基板コネクタ２２３ｂ（図７および図８を参照）が配設される。右ランプ基板コネクタ２２３ｂは、右サイドランプ基板２２１ｂが右ランプホルダ部１６７ｂに取り付けられた状態で、右ランプホルダ部１６７ｂに形成されたコネクタ開口部（図示せず）を介して第２上側フレーム部１６１の後側に露出する。第２上側フレーム部１６１の後側に露出した右ランプ基板コネクタ２２３ｂは、右サイドランプ用ケーブルハーネス２４０を介して、演出用中継基板１８０の右サイドランプ用中継コネクタ１８１と電気的に接続される。右サイドランプカバー２２６ｂは、図４に示すように、透光性を有する半透明の樹脂材料を用いて、上下方向に細長く延びるドーム状に形成され、右サイドランプ基板２２１ｂの前面側を覆って右ランプホルダ部１６７ｂに取り付けられる。
【００４６】
第２下側フレーム部１７１の上端部に、第１フレーム１０１に取り付けられた操作パネル２１の上面側を露出させる上面側露出部１７２が形成される。上面側露出部１７２は、操作パネル２１の上面に合わせて左右方向に延びるとともに、後側が視認露出部１６６に繋がるように開口形成される。これにより、操作パネル２１の上面側に、メダル投入口２２と、ＢＥＴスイッチユニット２３と、演出スイッチユニット２４が取り付けられた状態でも、第１フレーム１０１に対して第２フレーム１５１を前後方向に着脱させることができる。
【００４７】
第２下側フレーム部１７１の上部前面側に、スタートスイッチ露出部１７３と、ストップスイッチ挿通部１７４と、リジェクトスイッチ露出部１７７が形成される。スタートスイッチ露出部１７３は、前後方向に貫通した穴状に形成され、操作パネル２１の前面側に取り付けられたスタートレバー２５を挿通させて前方に露出させる。リジェクトスイッチ露出部１７７は、前後方向に貫通した穴状に形成され、操作パネル２１の前面側に取り付けられたリジェクトスイッチ２７を挿通させて前方に露出させる。また、リジェクトスイッチ露出部１７７の右方には、シリンダー錠２８を挿通させて前方に露出させるシリンダー錠露出部１７８が形成される。
【００４８】
ストップスイッチ挿通部１７４は、前後方向に貫通した長穴状に形成され、操作パネル２１の前面側に取り付けられたストップスイッチユニット２００の前部が挿通されるようになっている。第２下側フレーム部１７１の上部前面側におけるストップスイッチ挿通部１７４の周辺部に、ストップスイッチカバー２１０が取り付けられる。
【００４９】
ストップスイッチカバー２１０は、図４に示すように、樹脂材料を用いて、左右方向に延びる板状に形成される。ストップスイッチカバー２１０は、ネジ等の固定手段（図示せず）を用いて、ストップスイッチ挿通部１７４に挿通されたストップスイッチユニット２００の前面側を覆うように、ストップスイッチ挿通部１７４の周辺部に取り付け固定される。ストップスイッチカバー２１０に、３個のストップスイッチ露出穴２１１ａ，２１１ｂ，２１１ｃが左右方向に並んで形成される。左側のストップスイッチ露出穴２１１ａは、前後方向に貫通した穴状に形成され、ストップスイッチユニット２００の左側のストップスイッチ２０１ａを挿通させて前方に露出させる。中央のストップスイッチ露出穴２１１ｂは、前後方向に貫通した穴状に形成され、ストップスイッチユニット２００の中央のストップスイッチ２０１ｂを挿通させて前方に露出させる。右側のストップスイッチ露出穴２１１ｃは、前後方向に貫通した穴状に形成され、ストップスイッチユニット２００の右側のストップスイッチ２０１ｃを挿通させて前方に露出させる。
【００５０】
第２下側フレーム部１７１の下部前面側に、下パネルカバー３１（並びに、下パネルベースおよび下パネル照明灯）が取り付けられる。第２下側フレーム部１７１の下部前面側における下パネルカバー３１の左右に、左右の下部スピーカーカバー１７９ａ，１７９ｂが取り付けられる。左右の下部スピーカーカバー１７９ａ，１７９ｂは、第１フレーム１０１に取り付けられた左右の下部スピーカー３２ａ，３２ｂの前方を覆うとともに、左右の下部スピーカー３２ａ，３２ｂから発生する音を前方に放音可能に構成される。
【００５１】
ところで、第２フレーム１５１（第２上側フレーム部１６１）における中間梁部１６２の後面側に、右サイドランプ用ケーブルハーネス２４０（ランプケーブル２４１）の中間部が配線されるとともに、当該右サイドランプ用ケーブルハーネス２４０の中間部を覆うケーブルカバー部材２５０が取り付けられる。次に、本実施形態に係る右サイドランプ用ケーブルハーネス２４０およびケーブルカバー部材２５０について、図１２〜図１６を参照して説明する。
【００５２】
右サイドランプ用ケーブルハーネス２４０は、図８および図１６に示すように、ランプケーブル２４１と、第１ケーブルコネクタ２４２と、第２ケーブルコネクタ２４３とを有して構成される。ランプケーブル２４１は、演出用中継基板１８０の右サイドランプ用中継コネクタ１８１から中間梁部１６２の左端側まで下方に延び、中間梁部１６２の左端側から右端側まで右方に延び、中間梁部１６２の左端側から右サイドランプ基板２２１ｂの右ランプ基板コネクタ２２３ｂまで下方に延びるように配線される。第１ケーブルコネクタ２４２は、ランプケーブル２４１の一端（左側の端部）に設けられ、右サイドランプ用中継コネクタ１８１と嵌合して電気的に接続されるようになっている。第２ケーブルコネクタ２４３は、ランプケーブル２４１の他端（右側の端部）に設けられ、右ランプ基板コネクタ２２３ｂと嵌合して電気的に接続されるようになっている。ランプケーブル２４１は、第１ケーブルコネクタ２４２および第２ケーブルコネクタ２４３を介して、演出用中継基板１８０と右サイドランプ基板２２１ｂとを電気的に接続する。
【００５３】
ケーブルカバー部材２５０は、図１２〜図１６に示すように、樹脂材料を用いて、中間梁部１６２の形状に合わせて左右方向に細長く延びる板状に形成される。ケーブルカバー部材２５０の左端部近傍に、第１カバー側係合穴部２５１ａが形成される。第１カバー側係合穴部２５１ａには、第１カバー結合部材２６０ａの後端側が（前方から）挿通されて係合するようになっている。ケーブルカバー部材２５０の右端部近傍に、第２カバー側係合穴部２５１ｂが形成される。第２カバー側係合穴部２５１ｂには、第２カバー結合部材２６０ｂの後端側が（前方から）挿通されて係合するようになっている。第１〜第２カバー結合部材２６０ａ〜２６０ｂは、両端に係合突起を有するピン形状に形成され、ケーブルカバー部材２５０の両端と中間梁部１６２とを結合させて、ケーブルカバー部材２５０を中間梁部１６２の後面側に仮固定する。
【００５４】
ケーブルカバー部材２５０の左側に、第１カバー側ネジ穴部２５２ａが形成される。第１カバー側ネジ穴部２５２ａには、ケーブルカバー部材２５０を中間梁部１６２の後面側に取り付け固定するための第１カバー固定ネジ２６５ａが（後方から）挿通されるようになっている。ケーブルカバー部材２５０の右側に、第２カバー側ネジ穴部２５２ｂが形成される。第２カバー側ネジ穴部２５２ｂには、ケーブルカバー部材２５０を中間梁部１６２の後面側に取り付け固定するための第２カバー固定ネジ２６５ｂが（後方から）挿通されるようになっている。
【００５５】
ケーブルカバー部材２５０の中央部に、３つのネジ挿通穴部２５３ａ〜２５３ｃが形成される。各ネジ挿通穴部２５３ａ〜２５３ｃには、第１フレーム１０１に取り付けられた中パネル部材１４０の上端部を第２フレーム１５１に対して固定するためのパネル固定ネジ（図示せず）が（後方から）挿通されるようになっている。本実施形態では、説明の便宜上、３つのネジ挿通穴部２５３ａ〜２５３ｃについて、左側から順に、第１ネジ挿通穴部２５３ａ、第２ネジ挿通穴部２５３ｂ、および第３ネジ挿通穴部２５３ｃと称することにする。
【００５６】
なお、図９および図１０に示すように、中間梁部１６２の後面側における左端側（図９および図１０における右端側）に、ケーブルカバー部材２５０の第１カバー側係合穴部２５１ａと位置整合した第１フレーム側係合穴部２６６ａが形成される。第１フレーム側係合穴部２６６ａには、第１カバー結合部材２６０ａの前端側が（後方から）挿通されて係合するようになっている。中間梁部１６２の後面側における右端側（図９および図１０における左端側）に、ケーブルカバー部材２５０の第２カバー側係合穴部２５１ｂと位置整合した第２フレーム側係合穴部２６６ｂが形成される。第２フレーム側係合穴部２６６ｂには、第２カバー結合部材２６０ｂの前端側が（後方から）挿通されて係合するようになっている。
【００５７】
中間梁部１６２の後面側における左部に、ケーブルカバー部材２５０の第１カバー側ネジ穴部２５２ａと位置整合した第１フレーム側ネジ穴部２６７ａが形成される。第１フレーム側ネジ穴部２６７ａには、第１カバー側ネジ穴部２５２ａに挿通された第１カバー固定ネジ２６５ａがネジ固定されるようになっている。中間梁部１６２の後面側における右部に、ケーブルカバー部材２５０の第２カバー側ネジ穴部２５２ｂと位置整合した第２フレーム側ネジ穴部２６７ｂが形成される。第２フレーム側ネジ穴部２６７ｂには、第２カバー側ネジ穴部２５２ｂに挿通された第２カバー固定ネジ２６５ｂがネジ固定されるようになっている。
【００５８】
中間梁部１６２の後面側における中央部に、ケーブルカバー部材２５０のネジ挿通穴部２５３ａ〜２５３ｃと位置整合した３つのネジ固定穴２６８ａ〜２６８ｃが形成される。各ネジ固定穴２６８ａ〜２６８ｃには、ケーブルカバー部材２５０のネジ挿通穴部２５３ａ〜２５３ｃに挿通されたパネル固定ネジ（図示せず）がネジ固定されるようになっている。本実施形態では、説明の便宜上、３つのネジ固定穴２６８ａ〜２６８ｃについて、左側から順に、（第１ネジ挿通穴部２５３ａと位置整合した）第１ネジ固定穴２６８ａ、（第２ネジ挿通穴部２５３ｂと位置整合した）第２ネジ固定穴２６８ｂ、および（第３ネジ挿通穴部２５３ｃと位置整合した）第３ネジ固定穴２６８ｃと称することにする。
【００５９】
図１２および図１４に示すように、ケーブルカバー部材２５０の左上端部に、第１ケーブル挿通部２５４ａが切り欠き形成される。第１ケーブル挿通部２５４ａには、ランプケーブル２４１の一端側（左端側）が挿通され、ランプケーブル２４１の一端側がケーブルカバー部材２５０の左上端部から露出するようになっている。ケーブルカバー部材２５０の右側端部に、第２ケーブル挿通部２５４ｂが切欠き形成される。第２ケーブル挿通部２５４ｂには、ランプケーブル２４１の他端側（右端側）が挿通され、ランプケーブル２４１の他端側がケーブルカバー部材２５０の右側端部から露出するようになっている。
【００６０】
図１４〜図１６に示すように、ケーブルカバー部材２５０の前面側における左端側に、ケーブルカバー部材２５０に覆われたランプケーブル２４１の中間部（左端）を保持する第１クランプ部２５５ａが形成される。ケーブルカバー部材２５０の前面側における中間部左側に、ケーブルカバー部材２５０に覆われたランプケーブル２４１の中間部（左側）を保持する第２クランプ部２５５ｂが形成される。ケーブルカバー部材２５０の前面側における中央部に、ケーブルカバー部材２５０に覆われたランプケーブル２４１の中間部（中央）を保持する第３クランプ部２５５ｃが形成される。ケーブルカバー部材２５０の前面側における中間部右側に、ケーブルカバー部材２５０に覆われたランプケーブル２４１の中間部（右側）を保持する第４クランプ部２５５ｄが形成される。ケーブルカバー部材２５０の前面側における右端側に、ケーブルカバー部材２５０に覆われたランプケーブル２４１の中間部（右端）を保持する第５クランプ部２５５ｅが形成される。
【００６１】
なお、第１クランプ部２５５ａは、ケーブルカバー部材２５０の前面側における第１カバー側係合穴部２５１ａと第１カバー側ネジ穴部２５２ａとの間に配置される。第２クランプ部２５５ｂは、ケーブルカバー部材２５０の前面側における第１カバー側ネジ穴部２５２ａと第１ネジ挿通穴部２５３ａとの間に配置される。第３クランプ部２５５ｃは、ケーブルカバー部材２５０の前面側における第２ネジ挿通穴部２５３ｂと第３ネジ挿通穴部２５３ｃとの間に配置される。第４クランプ部２５５ｄは、ケーブルカバー部材２５０の前面側における第３ネジ挿通穴部２５３ｃと第２カバー側ネジ穴部２５２ｂとの間に配置される。第５クランプ部２５５ｅは、ケーブルカバー部材２５０の前面側における第２カバー側係合穴部２５１ｂと第２ケーブル挿通部２５４ｂとの間に配置される。
【００６２】
ケーブルカバー部材２５０の前面側における第１カバー側ネジ穴部２５２ａの上側周辺部に、第１ガイド部２５６ａが形成される。第１ガイド部２５６ａは、半円筒形のリブ状に形成され、第１クランプ部２５５ａと第２クランプ部２５５ｂとの間に位置するランプケーブル２４１を支持して垂れ下がらないようにガイドする。これにより、ケーブルカバー部材２５０の下縁部と中間梁部１６２との間にランプケーブル２４１が挟まれることを防止することができる。また、第１カバー側ネジ穴部２５２ａに挿通される第１カバー固定ネジ２６５ａがランプケーブル２４１に接触して、ランプケーブル２４１が傷つくこと等を防止することができる。
【００６３】
ケーブルカバー部材２５０の前面側における第１ネジ挿通穴部２５３ａの上側周辺部に、第２ガイド部２５６ｂが形成される。第２ガイド部２５６ｂは、半円筒形のリブ状に形成され、第２クランプ部２５５ｂと第３クランプ部２５５ｃとの間に位置するランプケーブル２４１を支持して垂れ下がらないようにガイドする。これにより、ケーブルカバー部材２５０の下縁部と中間梁部１６２との間にランプケーブル２４１が挟まれることを防止することができる。また、第１ネジ挿通穴部２５３ａに挿通されるパネル固定ネジ（図示せず）がランプケーブル２４１に接触して、ランプケーブル２４１が傷つくこと等を防止することができる。
【００６４】
ケーブルカバー部材２５０の前面側における第２ネジ挿通穴部２５３ｂの上側周辺部に、第３ガイド部２５６ｃが形成される。第３ガイド部２５６ｃは、半円筒形のリブ状に形成され、第２クランプ部２５５ｂと第３クランプ部２５５ｃとの間に位置するランプケーブル２４１を支持して垂れ下がらないようにガイドする。これにより、ケーブルカバー部材２５０の下縁部と中間梁部１６２との間にランプケーブル２４１が挟まれることを防止することができる。また、第２ネジ挿通穴部２５３ｂに挿通されるパネル固定ネジ（図示せず）がランプケーブル２４１に接触して、ランプケーブル２４１が傷つくこと等を防止することができる。
【００６５】
ケーブルカバー部材２５０の前面側における第３ネジ挿通穴部２５３ｃの上側周辺部に、第４ガイド部２５６ｄが形成される。第４ガイド部２５６ｄは、半円筒形のリブ状に形成され、第３クランプ部２５５ｃと第４クランプ部２５５ｄとの間に位置するランプケーブル２４１を支持して垂れ下がらないようにガイドする。これにより、ケーブルカバー部材２５０の下縁部と中間梁部１６２との間にランプケーブル２４１が挟まれることを防止することができる。また、第３ネジ挿通穴部２５３ｃに挿通されるパネル固定ネジ（図示せず）がランプケーブル２４１に接触して、ランプケーブル２４１が傷つくこと等を防止することができる。
【００６６】
ケーブルカバー部材２５０の前面側における第２カバー側ネジ穴部２５２ｂの上側周辺部に、第５ガイド部２５６ｅが形成される。第５ガイド部２５６ｅは、半円筒形のリブ状に形成され、第４クランプ部２５５ｄと第５クランプ部２５５ｅとの間に位置するランプケーブル２４１を支持して垂れ下がらないようにガイドする。これにより、ケーブルカバー部材２５０の下縁部と中間梁部１６２との間にランプケーブル２４１が挟まれることを防止することができる。また、第２カバー側ネジ穴部２５２ｂに挿通される第２カバー固定ネジ２６５ｂがランプケーブル２４１に接触して、ランプケーブル２４１が傷つくこと等を防止することができる。
【００６７】
ケーブルカバー部材２５０の前面側における第２ガイド部２５６ｂと第３ガイド部２５６ｃとの間の部分に、第１係止片部２５７ａが形成される。第１係止片部２５７ａは、矩形のリブ状に形成され、第２クランプ部２５５ｂと第３クランプ部２５５ｃとの間に位置するランプケーブル２４１の上側に係止して、当該ランプケーブル２４１が上方に動かないようにガイドする。これにより、ケーブルカバー部材２５０の上縁部と中間梁部１６２との間にランプケーブル２４１が挟まれることを防止することができる。
【００６８】
ケーブルカバー部材２５０の前面側における第３ガイド部２５６ｃと第４ガイド部２５６ｄとの間の部分に、第２係止片部２５７ｂが形成される。第２係止片部２５７ｂは、矩形のリブ状に形成され、第３クランプ部２５５ｃと第４クランプ部２５５ｄとの間に位置するランプケーブル２４１の上側に係止して、当該ランプケーブル２４１が上方に動かないようにガイドする。これにより、ケーブルカバー部材２５０の上縁部と中間梁部１６２との間にランプケーブル２４１が挟まれることを防止することができる。
【００６９】
以上のように構成されるケーブルカバー部材２５０を中間梁部１６２の後面側に取り付けるには、まず、ランプケーブル２４１の中間部をケーブルカバー部材２５０の前面側に組み付けて第１〜第５クランプ部２５５ａ〜２５５ｅに固定保持させる。このとき、図１６に示すように、第１〜第５ガイド部２５６ａ〜２５６ｅおよび第１〜第２係止片部２５７ａ〜２５７ｂに沿って（ジグザクに）延びるようにランプケーブル２４１を配置する。
【００７０】
次に、第１〜第５クランプ部２５５ａ〜２５５ｅにランプケーブル２４１の中間部が保持された状態で、第１〜第２カバー結合部材２６０ａ〜２６０ｂを用いて、図８に示すように、ケーブルカバー部材２５０を中間梁部１６２の後面側に仮固定する。このとき、第１カバー結合部材２６０ａの後端側をケーブルカバー部材２５０の第１カバー側係合穴部２５１ａに係合させた状態で、第１カバー結合部材２６０ａの前端側を中間梁部１６２の第１フレーム側係合穴部２６６ａに係合させる。同時に、第２カバー結合部材２６０ｂの後端側をケーブルカバー部材２５０の第２カバー側係合穴部２５１ｂに係合させた状態で、第２カバー結合部材２６０ｂの前端側を中間梁部１６２の第２フレーム側係合穴部２６６ｂに係合させる。またこのとき、ケーブルカバー部材２５０の左上端部（第１ケーブル挿通部２５４ａ）からランプケーブル２４１の一端側を露出させるとともに、ケーブルカバー部材２５０の右側端部（第２ケーブル挿通部２５４ｂ）からランプケーブル２４１の他端側を露出させる。
【００７１】
次に、第１〜第２カバー固定ネジ２６５ａ〜２６５ｂを用いて、ケーブルカバー部材２５０を中間梁部１６２の後面側に取り付け固定する。このとき、第１カバー固定ネジ２６５ａをケーブルカバー部材２５０の第１カバー側ネジ穴部２５２ａに挿通させて中間梁部１６２の第１フレーム側ネジ穴部２６７ａにネジ固定する。また、第２カバー固定ネジ２６５ｂをケーブルカバー部材２５０の第２カバー側ネジ穴部２５２ｂに挿通させて中間梁部１６２の第２フレーム側ネジ穴部２６７ｂにネジ固定する。これにより、ケーブルカバー部材２５０が右サイドランプ用ケーブルハーネス２４０（ランプケーブル２４１）とともに中間梁部１６２の後面側に取り付けられて、ランプケーブル２４１の中間部を覆う状態となる。
【００７２】
そして、ランプケーブル２４１の一端（左側の端部）に設けられた第１ケーブルコネクタ２４２を、演出用中継基板１８０の右サイドランプ用中継コネクタ１８１と嵌合させて電気的に接続させる。また、ランプケーブル２４１の他端（右側の端部）に設けられた第２ケーブルコネクタ２４３を、右サイドランプ基板２２１ｂの右ランプ基板コネクタ２２３ｂと嵌合させて電気的に接続させる。なおこのとき、ケーブルカバー部材２５０から露出したランプケーブル２４１の一端側を、上部フレームカバー１６３の左後面側に設けられた複数のケーブルクランプ１６９ａに固定保持させる。また、ケーブルカバー部材２５０から露出したランプケーブル２４１の他端側を、右ランプホルダ部１６７ｂの後面側に設けられた複数のケーブルクランプ１６９ｂに固定保持させる。
【００７３】
このように、本実施形態においては、ケーブルカバー部材２５０がランプケーブル２４１の中間部を覆って中間梁部１６２の後面側に取り付けられた状態で、ケーブルカバー部材２５０から露出したランプケーブル２４１の両端を演出用中継基板１８０と右サイドランプ基板２２１ｂとに繋いで電気的に接続させることができるようになっている。これにより、ケーブルカバー部材２５０を中間梁部１６２の後面側に取り付けるだけで、ケーブルカバー部材２５０に覆われるランプケーブル２４１の中間部を中間梁部１６２の後面側に配線して固定することができるため、中間梁部１６２のような細長くて狭い配線スペースであっても、ランプケーブル２４１を容易に取り付けることが可能になる。
【００７４】
続いて、中間梁部１６２の後面側に右サイドランプ用ケーブルハーネス２４０（ランプケーブル２４１）およびケーブルカバー部材２５０が取り付けられる第２フレーム１５１を備えた、前扉２を組み立てる手順について述べる。前扉２を組み立てるには、まず、第１フレーム１０１の前側に第２フレーム１５１を前方から装着する。このとき、第１フレーム１０１の上側係止爪部１１２および下側係止爪部１１７が、第２フレーム１５１の上側係止溝部および下側係止溝部（図示せず）に係止し、第１フレーム１０１に対して第２フレーム１５１が着脱可能に固定される。なお、第１フレーム１０１が筐体５から取り外された状態であっても、第１フレーム１０１が筐体５に取り付けられた状態であっても、第１フレーム１０１に対して第２フレーム１５１を着脱可能に装着することが可能である。
【００７５】
次に、第２フレーム１５１を第１フレーム１０１の前側に装着した状態で、フレーム固定ネジ（図示せず）を第１フレーム１０１のネジ挿通穴（図示せず）に挿通させて第２フレーム１５１のネジ固定穴（図示せず）にネジ固定する。これにより、第２フレーム１５１が第１フレーム１０１の前側に取り付け固定される。
【００７６】
なおこのとき、操作パネル２１の前面側は第２フレーム１５１に覆われるが、操作パネル２１の前面側に取り付けられたスタートレバー２５およびリジェクトスイッチ２７は、第２フレーム１５１のスタートスイッチ露出部１７３およびリジェクトスイッチ露出部１７７に挿通されて前方に露出する。また、ストップスイッチユニット２００に設けられた３個のストップスイッチ２０１ａ，２０１ｂ，２０１ｃは、ストップスイッチカバー２１０の３個のストップスイッチ露出穴２１１ａ，２１１ｂ，２１１ｃに挿通されて前方に露出する。
【００７７】
このようにして、第２フレーム１５１が第１フレーム１０１の前側に着脱可能に取り付けられる。これにより、第１フレーム１０１の構成は同じのままで、第２フレーム１５１の外観部のデザインのみを変更することが可能になり、スロットマシン１の外観部のデザインを容易に変更することができる。従来、前扉に設けられる演出ランプ等の装飾部は、前扉を構成するアッセンブリ（例えば、上パネルアセンブリ、中パネルアセンブリ、下パネルアセンブリ等）毎に別々に取り付けられていた。本実施形態では、前扉２において第２フレーム１５１が第１フレーム１０１の前側を覆うフレーム構造を採用することで、スロットマシンの製品コンセプトに応じて、前扉の装飾部を容易に変更することができる。
【００７８】
また、第１フレーム１０１から第２フレーム１５１が取り外されて、第１フレーム１０１のみが筐体５に取り付けられた状態でも、第１フレーム１０１に設けられたスタートレバー２５や各ストップスイッチ２０１ａ〜２０１ｃ等を操作することにより、完成品の場合と同様の遊技を行うことができる。またこのとき、第１フレーム１０１に設けられた画像表示装置１１の表示画面１１ａに、完成品の場合と同様の画像を表示することができる。これにより、第２フレーム１５１が未装着の状態でスロットマシンの動作確認（デバッグ等）を行うことが可能になり、スロットマシンの製造効率を向上させることができる。従来、画像表示装置は、前扉を構成する上パネルアセンブリ（上部マスク）の後側に取り付けられていた。本実施形態において、画像表示装置１１は、表示装置固定部材（図示せず）により第１フレーム１０１の上部に取り付けられる。これにより、第２フレーム１５１が未装着の状態（例えば、第２フレーム１５１のデザイン開発が完了していない状態等）でも、画像表示装置１１の表示画面１１ａに、完成品の場合と同様の画像を表示することができ、スロットマシンの動作確認（デバッグ等）を先行して行うことが可能である。
【００７９】
＜本実施形態における特徴構成＞
＜ケーブルカバー部材の特徴構成＞
本実施形態において、ケーブルカバー部材２５０がランプケーブル２４１の中間部を覆って中間梁部１６２の後面側に取り付けられた状態で、ケーブルカバー部材２５０から露出したランプケーブル２４１の両端を演出用中継基板１８０と右サイドランプ基板２２１ｂとに繋いで電気的に接続させることができるようになっている。これにより、ケーブルカバー部材２５０を中間梁部１６２の後面側に取り付けるだけで、ケーブルカバー部材２５０に覆われるランプケーブル２４１の中間部を中間梁部１６２の後面側に配線して固定することができるため、中間梁部１６２のような細長くて狭い配線スペースであっても、ランプケーブル２４１を容易に取り付けることが可能になる。また、ランプケーブル２４１の中間部を覆うケーブルカバー部材２５０が取り付けられることで、スロットマシン１のメンテナンス時等において、作業者が工具等をランプケーブル２４１の中間部に引っ掛けてしまうことがなく、ランプケーブル２４１の切断等の故障を防止することができる。
【００８０】
なお、ケーブルカバー部材２５０がランプケーブル２４１の中間部を覆って中間梁部１６２の後面側に取り付けられた状態では、ケーブルカバー部材２５０がランプケーブル２４１を覆って押さえようとする力がランプケーブル２４１に対して前方向に作用し、ケーブルカバー部材２５０の第１〜第５クランプ部２５５ａ〜２５５ｅがランプケーブル２４１を保持しようとする力の一部がランプケーブル２４１に対して後方向に作用する。これにより、ケーブルクランプを中間梁部１６２の後面側に設ける場合と比べて、ランプケーブル２４１に対して一方向に大きな保持力が作用しないようになっている。そのため、ランプケーブル２４１の劣化を抑える効果も期待できる。また、ケーブルカバー部材２５０に覆われたランプケーブル２４１の中間部は、ケーブルカバー部材２５０の第１〜第５クランプ部２５５ａ〜２５５ｅによりケーブルカバー部材２５０に向かう方向（後方向）に保持され、ケーブルカバー部材２５０から露出したランプケーブル２４１の両端側は、前扉２（ベース部材）側に設けられた複数のケーブルクランプ１６９ａ，１６９ｂにより前扉２に向かう方向（前方向）に保持される。これにより、ランプケーブル２４１は前後方向に引っ張られて遊びが少なくなるため、他の部品や工具等がランプケーブル２４１に引っ掛かりにくくなり、ランプケーブル２４１の切断等の故障を防止することができる。
【００８１】
＜変形例＞
上述の実施形態において、ケーブルカバー部材２５０がランプケーブル２４１の中間部を覆って中間梁部１６２の後面側に取り付けられているが、これに限られるものではなく、電気部品と電気的に接続されるケーブルが配設される箇所であれば、いずれの箇所に取り付けられてもよい。例えば、前扉２における第２フレーム１５１（第２上側フレーム部１６１）の上部後面側に、上述の実施形態と同様のケーブルカバー部材を取り付けて、演出用中継基板１８０から右上部スピーカー１５ｂ等に向けて延びるケーブルの一部を覆うようにしてもよい。また例えば、前扉２における第１フレーム１０１の後面側や、筐体５の内面側に、上述の実施形態と同様のケーブルカバー部材を取り付けて、第１フレーム１０１もしくは筐体５に取り付けられた電気部品（例えば、左右の下部スピーカー３２ａ，３２ｂやメダル払出装置５０等）と電気的に接続されるケーブルの一部を覆うようにしてもよい。
【００８２】
上述の実施形態において、左右の上部スピーカー１５ａ，１５ｂは、前扉２における第２フレーム１５１に取り付けられているが、これに限られるものではなく、第１フレーム１０１に取り付けられてもよい。また、左右の下部スピーカー３２ａ，３２ｂは、第１フレーム１０１に取り付けられているが、これに限られるものではなく、第２フレーム１５１に取り付けられてもよい。
【００８３】
上述の実施形態において、受け皿アッセンブリ４０は、第１フレーム１０１（第１下側フレーム部１１６）の下端部に設けられているが、これに限られるものではなく、第２フレーム１５１（第２下側フレーム部１７１）の下端部に設けられてもよい。
【００８４】
上述の実施形態において、演出用中継基板１８０に設けられた制御基板用中継コネクタ１８３と、当該制御基板用中継コネクタ１８３と電気的に接続される（副制御装置８０から延びるケーブルの）コネクタとに、ドロワコネクタが用いられてもよい。
【００８５】
上述の実施形態において、本実施形態のケーブルカバー部材２５０が適用される遊技機の一例として、遊技メダルを使用するスロットマシン（回胴式遊技機）１を例示して説明したが、これに限定されるものではなく、例えば、遊技球を使用する回胴式遊技機や、遊技メダルを用いずに遊技可能な封入式の回胴式遊技機、雀球遊技機、アレンジボール機、パチンコ機、カジノマシンなどについても同様に適用し、同様の効果を得ることができる。
【符号の説明】
【００８６】
１  スロットマシン（遊技機）
２  前扉（ベース部材）
５  筐体
１０１  第１フレーム
１５１  第２フレーム
１６１  第２上側フレーム部
１６２  中間梁部（カバー取付部）
１８０  演出用中継基板（電気部品）
２２０ａ  左サイドランプ
２２０ｂ  右サイドランプ
２２１ａ  左サイドランプ基板
２２１ｂ  右サイドランプ基板（電気部品）
２４０  右サイドランプ用ケーブルハーネス
２４１  ランプケーブル
２４２  第１ケーブルコネクタ
２４３  第２ケーブルコネクタ
２５０  ケーブルカバー部材
２５５ａ〜２５５ｅ  第１〜第５クランプ部（保持部）
２５６ａ〜２５６ｅ  第１〜第５ガイド部
２５７ａ〜２５７ｂ  第１〜第２係止片部
【図１】
2019005028.tif 000003
【図２】
2019005028.tif 000004
【図３】
2019005028.tif 000005
【図４】
2019005028.tif 000006
【図５】
2019005028.tif 000007
【図６】
2019005028.tif 000008
【図７】
2019005028.tif 000009
【図８】
2019005028.tif 000010
【図９】
2019005028.tif 000011
【図１０】
2019005028.tif 000012
【図１１】
2019005028.tif 000013
【図１２】
2019005028.tif 000014
【図１３】
2019005028.tif 000015
【図１４】
2019005028.tif 000016
【図１５】
2019005028.tif 000017
【図１６】
2019005028.tif 000018